(57)【要約】  本発明は、チャネルモニタリング方法及び機器を提供することにより、ＬＴＥシステムがアンライセンス搬送波で動作する際のチャネル資源競合の解決案を実現しようとする。本発明による方法は、機器がデータ送信前チャネルモニタリングのＣＣＡ検出の開始時点とアイドルチャネルであるＣＣＡ検出結果の所要期間を確定することと、上記機器が上記ＣＣＡ検出の開始時点とアイドルチャネルであるＣＣＡ検出結果の所要期間に基づいてアンライセンスバンド上でのチャネルのモニタリングを行うこととを含む。【選択図】  図３
2017537531.tif 000002
【特許請求の範囲】
【請求項１】
機器がデータ送信前チャネルモニタリングのＣＣＡ検出の開始時点とアイドルチャネルであるＣＣＡ検出結果の所要期間を確定することと、
上記機器が上記ＣＣＡ検出の開始時点とアイドルチャネルであるＣＣＡ検出結果の所要期間に基づいてアンライセンスバンド上でのチャネルのモニタリングを行うことと
を含むことを特徴とするチャネルモニタリング方法。
【請求項２】
上記機器がデータ送信前チャネルモニタリングのＣＣＡ検出の開始時点を確定することは、
上記機器がデータ伝送最大期間及び長さが前回のアイドルチャネルであるＣＣＡ検出結果の所要期間である前回ＣＣＡ検出時間ウィンドウに基づいてデータ送信前チャネルモニタリングのＣＣＡ検出の開始時点を確定することを含み、
又は、
上記機器が所定の無線フレーム構造におけるＣＣＡ検出の開始時点の定義に基づいてデータ送信前チャネルモニタリングのＣＣＡ検出の開始時点を確定することを含むことを特徴とする請求項１に記載のチャネルモニタリング方法。
【請求項３】
上記機器がアイドルチャネルであるＣＣＡ検出結果の所要期間を確定することは、
上記機器がアイドルチャネルであるＣＣＡ検出結果の所要期間を特定の主制御機器から取得することを含み、
又は、
上記機器が所定のルールに基づいてアイドルチャネルであるＣＣＡ検出結果の所要期間を確定することを含むことを特徴とする請求項１に記載のチャネルモニタリング方法。
【請求項４】
上記機器が所定のルールに基づいてアイドルチャネルであるＣＣＡ検出結果の所要期間を確定することは、
上記機器がＴ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することを含むことを特徴とする請求項３に記載のチャネルモニタリング方法。
【請求項５】
上記機器がデータ送信前チャネルモニタリングのＣＣＡ検出の開始時点とアイドルチャネルであるＣＣＡ検出結果の所要期間を確定する前に、更に、
上記機器が隣接機器の信号を測定することを含み、
上記機器がデータ送信前チャネルモニタリングのＣＣＡ検出の開始時点とアイドルチャネルであるＣＣＡ検出結果の所要期間を確定することは、具体的に、
隣接機器の信号を測定して得た測定結果が所定条件を満たした場合、上記機器がデータ送信前チャネルモニタリングのＣＣＡ検出の開始時点とアイドルチャネルであるＣＣＡ検出結果の所要期間を確定することであることを特徴とする請求項１〜４のいずれか一項に記載のチャネルモニタリング方法。
【請求項６】
上記機器が隣接機器の信号を測定することは、具体的に、
上記機器が隣接機器の信号の電力を測定することであり、
隣接機器の信号を測定して得た測定結果が所定条件を満たした場合、上記機器がデータ送信前チャネルモニタリングのＣＣＡ検出の開始時点とアイドルチャネルであるＣＣＡ検出結果の所要期間を確定することは、具体的に、
隣接機器の信号電力が所定の閾値より大きくなると、上記機器がデータ送信前チャネルモニタリングのＣＣＡ検出の開始時点とアイドルチャネルであるＣＣＡ検出結果の所要期間を確定することを特徴とする請求項５に記載のチャネルモニタリング方法。
【請求項７】
上記機器は、基地局又はユーザ機器ＵＥであることを特徴とする請求項１に記載のチャネルモニタリング方法。
【請求項８】
上記機器が基地局である場合、
更に、上記基地局がアイドルチャネルであるＣＣＡ検出結果の所要期間が保有された通知をＵＥに送信することを含むことを特徴とする請求項７に記載のチャネルモニタリング方法。
【請求項９】
上記基地局がＵＥに通知を送信することは、
上記基地局がアップリンクスケジューリンググラントのＰＤＣＣＨシグナリングを介してＵＥに通知を送信することを含むことを特徴とする請求項８に記載のチャネルモニタリング方法。
【請求項１０】
上記機器が基地局である場合、
更に、上記基地局が特定のパラメータが保有された通知をＵＥに送信することを含み、
ここで、上記特定のパラメータは、当該特定のパラメータ及び所定のルールを用いて、アイドルチャネルであるＣＣＡ検出結果の所要期間を確定するように、ＵＥに指示するためのものであることを特徴とする請求項７に記載のチャネルモニタリング方法。
【請求項１１】
上記通知には、アイドルチャネルであるＣＣＡ検出結果の所要期間の発効時間情報も保有されていることを特徴とする請求項８〜１０のいずれか一項に記載のチャネルモニタリング方法。
【請求項１２】
上記機器がＵＥである場合、当該ＵＥがアイドルチャネルであるＣＣＡ検出結果の所要期間を確定することは、
当該ＵＥが基地局から送信された通知を受信してアイドルチャネルであるＣＣＡ検出結果の所要期間を上記通知から取得することを含むことを特徴とする請求項７に記載のチャネルモニタリング方法。
【請求項１３】
当該ＵＥが基地局から送信された通知を受信することは、
当該ＵＥがアップリンクスケジューリンググラントのＰＤＣＣＨシグナリングを介して基地局から送信された通知を受信することを含むことを特徴とする請求項１２に記載のチャネルモニタリング方法。
【請求項１４】
上記機器がＵＥである場合、当該ＵＥがアイドルチャネルであるＣＣＡ検出結果の所要期間を確定することは、
当該ＵＥが基地局から送信された通知を受信して特定のパラメータを上記通知から取得することと、
当該ＵＥが当該特定のパラメータ及び所定のルールを用いてアイドルチャネルであるＣＣＡ検出結果の所要期間を確定することを含むことを特徴とする請求項７に記載のチャネルモニタリング方法。
【請求項１５】
更に、
当該ＵＥがアイドルチャネルであるＣＣＡ検出結果の所要期間の発効時間情報を上記通知から取得することを含み、
当該ＵＥが上記ＣＣＡ検出の開始時点とアイドルチャネルであるＣＣＡ検出結果の所要期間に基づいてアンライセンスバンド上でのチャネルのモニタリングを行うことは、
当該ＵＥが上記ＣＣＡ検出の開始時点とアイドルチャネルであるＣＣＡ検出結果の所要期間及び上記発効時間情報に基づいてアンライセンスバンド上でのチャネルのモニタリングを行うこととを含むことを特徴とする請求項１２〜１４のいずれか一項に記載のチャネルモニタリング方法。
【請求項１６】
データ送信前チャネルモニタリングのＣＣＡ検出の開始時点とアイドルチャネルであるＣＣＡ検出結果の所要期間を確定するための確定ユニットと、
上記ＣＣＡ検出の開始時点とアイドルチャネルであるＣＣＡ検出結果の所要期間に基づいて、アンライセンスバンド上でのチャネルのモニタリングを行うためのモニタリングユニットと
を含むことを特徴とするチャネルモニタリング機器。
【請求項１７】
上記確定ユニットは、
データ送信前チャネルモニタリングのＣＣＡ検出の開始時点を確定する際に、具体的に、
データ伝送最大期間、及び、長さが前回のアイドルチャネルであるＣＣＡ検出結果の所要期間である前回ＣＣＡ検出時間ウィンドウに基づいて、データ送信前チャネルモニタリングのＣＣＡ検出の開始時点を確定することに用いられ、
又は、
所定の無線フレーム構造におけるＣＣＡ検出の開始時点の定義に基づいて、データ送信前チャネルモニタリングのＣＣＡ検出の開始時点を確定することに用いられることを特徴とする請求項１６に記載のチャネルモニタリング機器。
【請求項１８】
上記確定ユニットは、
アイドルチャネルであるＣＣＡ検出結果の所要期間を確定する際に、具体的に、
アイドルチャネルであるＣＣＡ検出結果の所要期間を特定の主制御機器から取得することに用いられ、
又は、
所定のルールに基づいて、アイドルチャネルであるＣＣＡ検出結果の所要期間を確定することに用いられることを特徴とする請求項１６に記載のチャネルモニタリング機器。
【請求項１９】
上記確定ユニットは、
所定のルールに基づいて、アイドルチャネルであるＣＣＡ検出結果の所要期間を確定する際に、具体的に、
Ｔ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することに用いられることを特徴とする請求項１８に記載のチャネルモニタリング機器。
【請求項２０】
上記確定ユニットは、
データ送信前チャネルモニタリングのＣＣＡ検出の開始時点とアイドルチャネルであるＣＣＡ検出結果の所要期間を確定する前に、更に隣接機器の信号を測定することに用いられ、
データ送信前チャネルモニタリングのＣＣＡ検出の開始時点とアイドルチャネルであるＣＣＡ検出結果の所要期間を確定することは、具体的に、
隣接機器の信号を測定して得た測定結果が所定条件を満たした場合、上記確定ユニットはデータ送信前チャネルモニタリングのＣＣＡ検出の開始時点とアイドルチャネルであるＣＣＡ検出結果の所要期間を確定することを特徴とする請求項１６〜１９のいずれか一項に記載のチャネルモニタリング機器。
【請求項２１】
上記確定ユニットが隣接機器の信号を測定することは、
具体的に、上記確定ユニットが隣接機器の信号の電力を測定することであり、
上記確定ユニットが隣接機器の信号を測定して得た測定結果が所定条件を満たした場合、データ送信前チャネルモニタリングのＣＣＡ検出の開始時点とアイドルチャネルであるＣＣＡ検出結果の所要期間を確定することは、具体的に、
隣接機器の信号電力が所定の閾値より大きくなると、上記確定ユニットがデータ送信前チャネルモニタリングのＣＣＡ検出の開始時点とアイドルチャネルであるＣＣＡ検出結果の所要期間を確定することを特徴とする請求項２０に記載のチャネルモニタリング機器。
【請求項２２】
上記機器は、基地局又はユーザ機器ＵＥであることを特徴とする請求項１６に記載のチャネルモニタリング機器。
【請求項２３】
上記機器が基地局である場合、
上記確定ユニットは、
更に、アイドルチャネルであるＣＣＡ検出結果の所要期間が保有された通知をＵＥに送信することに用いられることを特徴とする請求項２２に記載のチャネルモニタリング機器。
【請求項２４】
上記確定ユニットは、
アップリンクスケジューリンググラントのＰＤＣＣＨシグナリングを介して、ＵＥに通知を送信することを特徴とする請求項２３に記載のチャネルモニタリング機器。
【請求項２５】
上記機器が基地局である場合、
上記確定ユニットは、
更に、特定のパラメータが保有された通知をＵＥに送信することに用いられ、
ここで、上記特定のパラメータは、当該特定のパラメータ及び所定のルールを用いて、アイドルチャネルであるＣＣＡ検出結果の所要期間を確定するように、ＵＥに指示するためのものであることを特徴とする請求項２２に記載のチャネルモニタリング機器。
【請求項２６】
上記通知には、アイドルチャネルであるＣＣＡ検出結果の所要期間の発効時間情報も保有されていることを特徴とする請求項２３〜２５のいずれか一項に記載のチャネルモニタリング機器。
【請求項２７】
上記機器がＵＥである場合、
上記確定ユニットは、
アイドルチャネルであるＣＣＡ検出結果の所要期間を確定する際に、具体的に、
基地局から送信された通知を受信し、アイドルチャネルであるＣＣＡ検出結果の所要期間を上記通知から取得することに用いられることを特徴とする請求項２２に記載のチャネルモニタリング機器。
【請求項２８】
上記確定ユニットは、
アップリンクスケジューリンググラントのＰＤＣＣＨシグナリングを介して、基地局から送信された通知を受信することを特徴とする請求項２７に記載のチャネルモニタリング機器。
【請求項２９】
上記機器がＵＥである場合、
上記確定ユニットは、
アイドルチャネルであるＣＣＡ検出結果の所要期間を確定する際に、具体的に、
基地局から送信された通知を受信し、特定のパラメータを上記通知から取得し、
当該特定のパラメータ及び所定のルールを用いて、アイドルチャネルであるＣＣＡ検出結果の所要期間を確定することに用いられることを特徴とする請求項２２に記載のチャネルモニタリング機器。
【請求項３０】
上記確定ユニットは、更に、
アイドルチャネルであるＣＣＡ検出結果の所要期間の発効時間情報を上記通知から取得することに用いられ、
上記モニタリングユニットは、具体的に、
上記ＣＣＡ検出の開始時点とアイドルチャネルであるＣＣＡ検出結果の所要期間及び上記発効時間情報に基づいて、アンライセンスバンド上でのチャネルのモニタリングを行うことに用いられることを特徴とする請求項２７〜２９のいずれか一項に記載のチャネルモニタリング機器。
【請求項３１】
プロセッサとメモリを含む端末側機器において、
上記プロセッサは、上記メモリにおけるプログラムを読み出して、データ送信前チャネルモニタリングのＣＣＡ検出の開始時点とアイドルチャネルであるＣＣＡ検出結果の所要期間を確定することと、上記ＣＣＡ検出の開始時点とアイドルチャネルであるＣＣＡ検出結果の所要期間に基づいて、アンライセンスバンド上でのチャネルのモニタリングを行うことを実行することを特徴とするネットワーク側機器。
【請求項３２】
プロセッサとメモリを含む端末側機器において、
上記プロセッサは、上記メモリにおけるプログラムを読み出して、データ送信前チャネルモニタリングのＣＣＡ検出の開始時点とアイドルチャネルであるＣＣＡ検出結果の所要期間を確定することと、上記ＣＣＡ検出の開始時点とアイドルチャネルであるＣＣＡ検出結果の所要期間に基づいて、アンライセンスバンド上でのチャネルのモニタリングを行うことを実行することを特徴とする端末側機器。
【発明の詳細な説明】
【技術分野】
【０００１】
本願は、２０１４年１１月５日に中国特許庁に提出された中国特許出願２０１４１０６３７２４６．Ｘ（発明の名称：「チャネルモニタリング方法及び機器」）の優先権を主張し、その全ての内容が援用により本願に取り込まれる。
【０００２】
本発明は、通信技術分野に関し、特にチャネルモニタリング方法及び機器に関する。
【背景技術】
【０００３】
移動データサービス量のますますの増加に伴い、スペクトル資源がますます不足し、ライセンススペクトル資源によるネットワーク配置とサービス伝送のみでは、サービス量の要求を満たすことができなくなる。そこで、ＬＴＥ（Ｌｏｎｇ  Ｔｅｒｍ  Ｅｖｏｌｕｔｉｏｎ）システムにおいて、ユーザエクスペリエンスの向上とカバレッジの拡張を図るために、アンライセンススペクトル資源で伝送を配置することが考えられる。このようなＬＴＥシステムは、アンライセンスＬＴＥ（Ｕｎｌｉｃｅｎｓｅｄ  ＬＴＥ、単にＵ‐ＬＴＥ又はＬＴＥ‐Ｕという）システムと称される。しかし、現在、ＬＴＥシステムがアンライセンススペクトル資源でどのように動作するかについて、まだ明確に提案されていない。
【０００４】
アンライセンススペクトル上のＬＢＴ（Ｌｉｓｔｅｎ  Ｂｅｆｏｒｅ  Ｔａｌｋ）の原理を以下に紹介する。アンライセンススペクトルにおける具体的な応用システムが規定されておらず、ブルートゥース（登録商標）やＷｉＦｉ（登録商標）など、多種類の無線通信システムに共有される。多種類のシステムの間では、共有するアンライセンススペクトル資源を資源競合方式で使用する。故に、異なるプロバイダーが配置するＬＴＥ‐Ｕの間、及び、ＬＴＥ‐ＵとＷｉＦｉなど無線通信システムとの混在性は、研究の重要点と難点である。３ＧＰＰにおいて、ＬＴＥ‐ＵとＷｉＦｉなど無線通信システムとの公平性、混在性の保証が要求されるが、アンライセンスバンドは、セカンダリ搬送波として、ライセンスバンドのプライマリ搬送波に補助されて実現される。ＬＢＴ（Ｌｉｓｔｅｎ  Ｂｅｆｏｒｅ  Ｔａｌｋ）は、ＬＴＥ‐Ｕ競合アクセスの基本的な手段として、ほぼ全ての会社から賛同を得ている。
【０００５】
ＬＢＴ技術の本質は、８０２．１１システムにおける搬送波感知多重アクセス／衝突回避（ＣＳＭＡ／ＣＡ）メカニズムの応用である。ＷｉＦｉシステムは、下記のようにアンライセンススペクトルで資源競合をする。まず、チャネルのモニタリングが行われ、チャネルのアイドル時間が分散制御用フレーム間隔ＤＩＦＳ（Ｄｉｓｔｒｉｂｕｔｅｄ  Ｉｎｔｅｒ‐Ｆｒａｍｅ  Ｓｐａｃｅ）に達すると、現在のチャネルがアイドルチャネルであると判断される。それから、アクセスを待機するチャネルのステーションは、ランダムなバックオフ段階に入ることによって、複数のステーションによる同一資源での衝突発生が回避される。また、公平性の保証のために、各ステーションでスペクトル資源を長期にわたり占用してはならず、一定の時間又はデータ伝送量の上限に達すると、他のＷｉＦｉ又にＬＴＥシステムの資源を競合させるために、資源をリリースすることが規定されている。
【０００６】
ＬＴＥシステムにおいて、アンライセンスバンドの搬送波で動作する場合、他の機器やシステムとのスペクトル資源の公平性の共有を保証するために、ＬＴＥ基地局と端末もＬＢＴメカニズムで資源競合をする必要がある。
【０００７】
以下、欧州基準におけるアンライセンススペクトル上でのＬＢＴに関する２種類の方法を紹介する。
【０００８】
欧州のＥＴＳＩの基準では、５ＧＨｚのアンライセンスバンドのＬＢＴについて、ＦＢＥ（Ｆｒａｍｅ  Ｂａｓｅｄ  Ｅｑｕｉｐｍｅｎｔ）方式とＬＢＥ（Ｌｏａｄ  Ｂａｓｅｄ  Ｅｑｕｉｐｍｅｎｔ）方式の２種類の方式がある。
【０００９】
図１に示すように、ＦＢＥ方式では、データ伝送期間とデータ伝送期間の５％以上のインターバルを含むフレーム占用期間が一定である。一定であるフレームに次いで、アイドルチャネルであるか否かを検出するＣＣＡ（Ｃｌｅａｒ  Ｃｈａｎｎｅｌ  Ａｓｓｅｓｓｍｅｎｔ）検出期間（少なくとも２０ｕｓである）を含む。アンライセンス機器は、ＣＣＡ検出期間においてエネルギー検出方式でアイドルチャネルと判断してから初めてチャネルを使用する。例えば、ＣＣＡ期間において当該チャネル上での信号受信電力を測定し、チャネル上での受信信号電力が第１電力閾値より大きいと測定すると、チャネルがビジーであると判断するが、逆にチャネルがアイドルであると判断する。
【００１０】
図２に示すように、ＬＢＥ方式では、データ伝送の期間が可変である。機器は、アンライセンスチャネルでデータ伝送をする前に、エネルギー検出方式でチャネルに対し一回のＣＣＡ検出を実行する必要がある。機器は、チャネルがアイドルであると確定すると、チャネルでデータを伝送することができる。逆に、アンライセンス機器は、チャネルがビジーであると確定すると、拡張ＣＣＡ方式でチャネルを検出する必要がある。拡張ＣＣＡ検出において、機器は、チャネルがアイドルであるＣＣＡ期間をＮ個検出してから初めてチャネルがアイドル状態であると確定し、初めてチャネルを占用する。数値Ｎは、１〜ｑ（［４，３２］）の間のランダムな数値である。
【００１１】
現在、ＬＴＥシステムがアンライセンススペクトルでどのように動作するかについて、まだ明確に提案されていない。アンライセンス搬送波について、同一プロバイダーに所属するＬＴＥ基地局又は端末が資源競合をどのようにするかについて、まだ明確に提案されていない。
【００１２】
上記アンライセンス搬送波で資源競合するＬＢＴ方式に基づいて、ＬＴＥがアンライセンス搬送波で動作する際に、各ＬＴＥ基地局／セル／端末が独立に各自のＣＣＡ検出時間を作成し、１つの資源競合独立個体としてアンライセンス搬送波での資源競合に参与すると、以下の問題に直面する可能性がある。
【００１３】
ネットワーク側機器の場合、ＬＴＥプロバイダーの各基地局／セルは、自身のＣＣＡ検出時間タイマー終了時に、以下の２つのステップの判断を経て初めてチャネルを競合して得られるか決定できる。
【００１４】
ステップ１において、まずＣＣＡ検出ウィンドウに信号発射（電力検出）があるかを検出する必要がある。チャネルがアイドルである場合（例えばチャネルで検出した電力が所定の閾値より低い）、直接にチャネルを占用することができる。
【００１５】
ステップ２において、チャネルで信号があると確定すると、更に、チャネルで既に伝送されている信号について、ＬＴＥ信号及び自プロバイダーの信号であるかを判断する必要がある。同一プロバイダーのものである場合、そのままチャネルを占用することができる（ＬＴＥでは同一周波数ネットワーク構築がサポートされる）が、他プロバイダー又は他システムの機器信号であれば、チャネルの占用を放棄し、よって信号の検出又は解析（例えばＣＲＳを検出してセルＩＤを取得し、更に所属するプロバイダーを判別する）をする必要がある。信号の検出と解析には、一定の遅延、例えば少なくとも一列のＣＲＳ（Ｃｅｌｌ‐ｓｐｅｃｉｆｉｃ  ｒｅｆｅｒｅｎｃｅ  ｓｉｇｎａｌｓ）を検出する必要があるため、一定の資源コストが生じ、同時に基地局の処理複雑度を増す。また、複数の基地局の信号同士の干渉により、検出性能が保証されず、ＬＢＴの性能に影響を与える。
【００１６】
端末側から言えば、ＬＴＥの従来メカニズムに従い、ＬＴＥのアップリンク（ＵＬ）スケジューリンググラントの物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）と物理アップリンクシェアドチャネルＰＵＳＣＨ（Ｐｈｙｓｉｃａｌ  Ｕｐｌｉｎｋ  Ｓｈａｒｅｄ  Ｃｈａｎｎｅｌ）とは一定のタイミング関係を持ち、ＰＤＣＣＨがＰＵＳＣＨよりＫ（Ｋ≧４）個のサブフレーム先に伝送される。しかし、アンライセンス搬送波上での競合メカニズムに基づいて、端末は、ＰＵＳＣＨ送信前にアップリンクチャネル資源を競合する必要がある。これは、基地局がライセンスＰＤＣＣＨチャネルのアップリンクスケジューリングをする際に、Ｋ個サブフレーム後の端末がＰＵＳＣＨチャネル伝送時にアップリンク資源を競合して得られるか確定できないことを意味する。例えば、スケジューリングされた端末は、他アンライセンスシステムの機器とチャネル競合をすると同時に、同一搬送波上での他ＬＴＥ（同一セル又は隣接セルの）ユーザとアップリンクチャネル競合をする必要がある。従って、マルチユーザスケジューリングがサポートされず、ＭＵ‐ＭＩＭＯ（Ｍｕｌｔｉ‐Ｕｓｅｒ  Ｍｕｌｔｉ‐Ｉｎｐｕｔ  Ｍｕｌｔｉ‐Ｏｕｔｐｕｔ）特性もサポートされない。上記の問題は、いずれもシステム効率の大幅低下に繋がる可能性がある。
【００１７】
以上の記載をまとめると、従来技術において、ＬＴＥがアンライセンス搬送波で動作する際のチャネル資源競合について、解決案が提案されていない。
【発明の概要】
【発明が解決しようとする課題】
【００１８】
本発明の実施例は、チャネルモニタリング方法及び機器を提供することにより、ＬＴＥシステムがアンライセンス搬送波で動作する際のチャネル資源競合の解決案を実現しようとする。
【課題を解決するための手段】
【００１９】
本発明の実施例によるチャネルモニタリング方法において、機器がデータ送信前チャネルモニタリングのＣＣＡ検出の開始時点とアイドルチャネルであるＣＣＡ検出結果の所要期間を確定することと、上記機器が上記ＣＣＡ検出の開始時点とアイドルチャネルであるＣＣＡ検出結果の所要期間に基づいてアンライセンスバンド上でのチャネルのモニタリングを行うこととを含む。
【００２０】
当該方法において、機器がデータ送信前チャネルモニタリングのＣＣＡ検出の開始時点とアイドルチャネルであるＣＣＡ検出結果の所要期間に基づいてアンライセンスバンド上でのチャネルのモニタリングを行うことにより、ＬＴＥシステムがアンライセンス搬送波で動作する場合のチャネル資源競合の解決案を実現した。
【００２１】
上記機器がデータ送信前チャネルモニタリングのＣＣＡ検出の開始時点を確定することは、上記機器がデータ伝送最大期間及び長さが前回のアイドルチャネルであるＣＣＡ検出結果の所要期間である前回ＣＣＡ検出時間ウィンドウに基づいてデータ送信前チャネルモニタリングのＣＣＡ検出の開始時点を確定することを含み、又は、上記機器が所定の無線フレーム構造におけるＣＣＡ検出の開始時点の定義に基づいてデータ送信前チャネルモニタリングのＣＣＡ検出の開始時点を確定することを含むことが好ましい。
【００２２】
上記機器がアイドルチャネルであるＣＣＡ検出結果の所要期間を確定することは、上記機器がアイドルチャネルであるＣＣＡ検出結果の所要期間を特定の主制御機器から取得することを含み、又は、上記機器が所定のルールに基づいてアイドルチャネルであるＣＣＡ検出結果の所要期間を確定することを含むことが好ましい。
【００２３】
データ送信前チャネルモニタリングのＣＣＡ検出の開始時点とアイドルチャネルであるＣＣＡ検出結果の所要期間を、隣接する各機器が同様の方式で確定することにより、アンライセンスバンドの搬送波において、複数の機器が同一の資源競合ウィンドウで同じアイドルチャネルであるＣＣＡ検出結果の期間を用いてチャネル資源を競合することが確保される。ダウンリンク伝送の場合、各プロバイダー内部の複数の基地局では同じＣＣＡ検出時間が用いられるため、複数の基地局は、資源競合時に１つのアンライセンス機器に等しく、ＬＴＥのアンライセンスバンドでの同一周波数ネットワーク構築が保証される。アップリンク伝送の場合、ＬＴＥにおいてマルチユーザ機器の同時アップリンクスケジューリングのサポートやＭＵ‐ＭＩＭＯ技術の応用が保証され、更にシステム性能が向上する。
【００２４】
上記機器が所定のルールに基づいてアイドルチャネルであるＣＣＡ検出結果の所要期間を確定することは、上記機器がＴ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することを含むことが好ましい。
【００２５】
当該方法において、上記機器がデータ送信前チャネルモニタリングのＣＣＡ検出の開始時点とアイドルチャネルであるＣＣＡ検出結果の所要期間を確定する前に、更に、上記機器が隣接機器の信号を測定することを含むことが好ましい。上記機器がデータ送信前チャネルモニタリングのＣＣＡ検出の開始時点とアイドルチャネルであるＣＣＡ検出結果の所要期間を確定することは、具体的に、隣接機器の信号を測定して得た測定結果が所定条件を満たした場合、上記機器がデータ送信前チャネルモニタリングのＣＣＡ検出の開始時点とアイドルチャネルであるＣＣＡ検出結果の所要期間を確定することであることが好ましい。
【００２６】
上記機器が隣接機器の信号を測定することは、具体的に、上記機器が隣接機器の信号の電力を測定することであり、隣接機器の信号を測定して得た測定結果が所定条件を満たした場合、上記機器がデータ送信前チャネルモニタリングのＣＣＡ検出の開始時点とアイドルチャネルであるＣＣＡ検出結果の所要期間を確定することは、具体的に、隣接機器の信号電力が所定の閾値より大きくなると、上記機器がデータ送信前チャネルモニタリングのＣＣＡ検出の開始時点とアイドルチャネルであるＣＣＡ検出結果の所要期間を確定することが好ましい。
【００２７】
上記機器は、基地局又はユーザ機器ＵＥであることが好ましい。
【００２８】
当該方法において、上記機器が基地局である場合、更に、上記基地局がアイドルチャネルであるＣＣＡ検出結果の所要期間が保有された通知をＵＥに送信することを含むことが好ましい。
【００２９】
上記基地局がＵＥに通知を送信することは、上記基地局がアップリンクスケジューリンググラントのＰＤＣＣＨシグナリングを介してＵＥに通知を送信することを含むことが好ましい。
【００３０】
当該方法において、上記機器が基地局である場合、更に、上記基地局が特定のパラメータが保有された通知をＵＥに送信することを含むことが好ましく、ここで、上記特定のパラメータは、当該特定のパラメータ及び所定のルールを用いて、アイドルチャネルであるＣＣＡ検出結果の所要期間を確定するように、ＵＥに指示するためのものである。
【００３１】
上記通知には、アイドルチャネルであるＣＣＡ検出結果の所要期間の発効時間情報も保有されていることが好ましい。
【００３２】
上記機器がＵＥである場合、当該ＵＥがアイドルチャネルであるＣＣＡ検出結果の所要期間を確定することは、当該ＵＥが基地局から送信された通知を受信し、アイドルチャネルであるＣＣＡ検出結果の所要期間を上記通知から取得することを含むことが好ましい。
【００３３】
当該ＵＥが基地局から送信された通知を受信することは、当該ＵＥがアップリンクスケジューリンググラントのＰＤＣＣＨシグナリングを介して基地局から送信された通知を受信することを含むことが好ましい。
【００３４】
上記機器がＵＥである場合、当該ＵＥがアイドルチャネルであるＣＣＡ検出結果の所要期間を確定することは、当該ＵＥが基地局から送信された通知を受信して特定のパラメータを上記通知から取得することと、当該ＵＥが当該特定のパラメータ及び所定のルールを用いてアイドルチャネルであるＣＣＡ検出結果の所要期間を確定することを含むことが好ましい。
【００３５】
当該方法において、更に、当該ＵＥがアイドルチャネルであるＣＣＡ検出結果の所要期間の発効時間情報を上記通知から取得することを含むことが好ましい。当該ＵＥが上記ＣＣＡ検出の開始時点とアイドルチャネルであるＣＣＡ検出結果の所要期間に基づいてアンライセンスバンド上でのチャネルのモニタリングを行うことは、当該ＵＥが上記ＣＣＡ検出の開始時点とアイドルチャネルであるＣＣＡ検出結果の所要期間及び上記発効時間情報に基づいてアンライセンスバンド上でのチャネルのモニタリングを行うこととを含むことが好ましい。
【００３６】
本発明の実施例によるチャネルモニタリング機器は、データ送信前チャネルモニタリングのＣＣＡ検出の開始時点とアイドルチャネルであるＣＣＡ検出結果の所要期間を確定するための確定ユニットと、上記ＣＣＡ検出の開始時点とアイドルチャネルであるＣＣＡ検出結果の所要期間に基づいて、アンライセンスバンド上でのチャネルのモニタリングを行うためのモニタリングユニットとを含む。
【００３７】
当該機器がデータ送信前チャネルモニタリングのＣＣＡ検出の開始時点とアイドルチャネルであるＣＣＡ検出結果の所要期間に基づいてアンライセンスバンド上でのチャネルのモニタリングを行うことにより、ＬＴＥシステムがアンライセンス搬送波で動作する場合のチャネル資源競合の解決案を実現した。
【００３８】
上記確定ユニットは、データ送信前チャネルモニタリングのＣＣＡ検出の開始時点を確定する際に、具体的に、データ伝送最大期間、及び、長さが前回のアイドルチャネルであるＣＣＡ検出結果の所要期間である前回ＣＣＡ検出時間ウィンドウに基づいて、データ送信前チャネルモニタリングのＣＣＡ検出の開始時点を確定することに用いられ、又は、所定の無線フレーム構造におけるＣＣＡ検出の開始時点の定義に基づいて、データ送信前チャネルモニタリングのＣＣＡ検出の開始時点を確定することに用いられることが好ましい。
【００３９】
上記確定ユニットは、アイドルチャネルであるＣＣＡ検出結果の所要期間を確定する際に、具体的に、アイドルチャネルであるＣＣＡ検出結果の所要期間を特定の主制御機器から取得することに用いられ、又は、所定のルールに基づいて、アイドルチャネルであるＣＣＡ検出結果の所要期間を確定することに用いられることが好ましい。
【００４０】
データ送信前チャネルモニタリングのＣＣＡ検出の開始時点とアイドルチャネルであるＣＣＡ検出結果の所要期間を、隣接する各機器が同様の方式で確定することにより、アンライセンスバンドの搬送波において、複数の機器が同一の資源競合ウィンドウで同じアイドルチャネルであるＣＣＡ検出結果の期間を用いてチャネル資源を競合することが確保される。ダウンリンク伝送の場合、各プロバイダー内部の複数の基地局では同じＣＣＡ検出時間が用いられるため、複数の基地局は、資源競合時に１つのアンライセンス機器に等しく、ＬＴＥのアンライセンスバンドでの同一周波数ネットワーク構築が保証される。アップリンク伝送の場合、ＬＴＥにおいてマルチユーザ機器の同時アップリンクスケジューリングのサポートやＭＵ‐ＭＩＭＯ技術の応用が保証され、更にシステム性能が向上する。
【００４１】
上記確定ユニットは、所定のルールに基づいて、アイドルチャネルであるＣＣＡ検出結果の所要期間を確定する際に、具体的に、Ｔ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することに用いられることが好ましい。
【００４２】
上記確定ユニットは、データ送信前チャネルモニタリングのＣＣＡ検出の開始時点とアイドルチャネルであるＣＣＡ検出結果の所要期間を確定する前に、更に隣接機器の信号を測定することに用いられることが好ましい。データ送信前チャネルモニタリングのＣＣＡ検出の開始時点とアイドルチャネルであるＣＣＡ検出結果の所要期間を確定することは、具体的に、隣接機器の信号を測定して得た測定結果が所定条件を満たした場合、上記確定ユニットはデータ送信前チャネルモニタリングのＣＣＡ検出の開始時点とアイドルチャネルであるＣＣＡ検出結果の所要期間を確定することであることが好ましい。
【００４３】
上記確定ユニットが隣接機器の信号を測定することは、具体的に、上記確定ユニットが隣接機器の信号の電力を測定することであり、隣接機器の信号を測定して得た測定結果が所定条件を満たした場合、上記確定ユニットがデータ送信前チャネルモニタリングのＣＣＡ検出の開始時点とアイドルチャネルであるＣＣＡ検出結果の所要期間を確定することは、具体的に、隣接機器の信号電力が所定の閾値より大きくなると、上記確定ユニットがデータ送信前チャネルモニタリングのＣＣＡ検出の開始時点とアイドルチャネルであるＣＣＡ検出結果の所要期間を確定することであることが好ましい。
【００４４】
上記機器は、基地局又はユーザ機器ＵＥであることが好ましい。
【００４５】
上記機器が基地局である場合、上記確定ユニットは、更に、アイドルチャネルであるＣＣＡ検出結果の所要期間が保有された通知をＵＥに送信することに用いられることが好ましい。
【００４６】
上記確定ユニットは、アップリンクスケジューリンググラントのＰＤＣＣＨシグナリングを介してＵＥに通知を送信することが好ましい。
【００４７】
上記機器が基地局である場合、上記確定ユニットは、更に、特定のパラメータが保有された通知をＵＥに送信することに用いられることが好ましく、ここで、上記特定のパラメータは、当該特定のパラメータ及び所定のルールを用いて、アイドルチャネルであるＣＣＡ検出結果の所要期間を確定するように、ＵＥに指示するためのものである。
【００４８】
上記通知には、アイドルチャネルであるＣＣＡ検出結果の所要期間の発効時間情報も保有されていることが好ましい。
【００４９】
上記機器がＵＥである場合、上記確定ユニットは、アイドルチャネルであるＣＣＡ検出結果の所要期間を確定する際に、具体的に、基地局から送信された通知を受信し、アイドルチャネルであるＣＣＡ検出結果の所要期間を上記通知から取得することに用いられることが好ましい。
【００５０】
上記確定ユニットは、アップリンクスケジューリンググラントのＰＤＣＣＨシグナリングを介して、基地局から送信された通知を受信することが好ましい。
【００５１】
上記機器がＵＥである場合、上記確定ユニットは、アイドルチャネルであるＣＣＡ検出結果の所要期間を確定する際に、具体的に、基地局から送信された通知を受信して特定のパラメータを上記通知から取得し、当該特定のパラメータ及び所定のルールを用いてアイドルチャネルであるＣＣＡ検出結果の所要期間を確定することに用いられることが好ましい。
【００５２】
上記確定ユニットは、更に、アイドルチャネルであるＣＣＡ検出結果の所要期間の発効時間情報を上記通知から取得することに用いられ、上記モニタリングユニットは、具体的に、上記ＣＣＡ検出の開始時点とアイドルチャネルであるＣＣＡ検出結果の所要期間及び上記発効時間情報に基づいて、アンライセンスバンド上でのチャネルのモニタリングを行うことに用いられることが好ましい。
【００５３】
本発明の実施例によるネットワーク側機器は、プロセッサとメモリを含む。上記プロセッサは、上記メモリにおけるプログラムを読み出して、データ送信前チャネルモニタリングのＣＣＡ検出の開始時点とアイドルチャネルであるＣＣＡ検出結果の所要期間を確定することと、上記ＣＣＡ検出の開始時点とアイドルチャネルであるＣＣＡ検出結果の所要期間に基づいて、アンライセンスバンド上でのチャネルのモニタリングを行うことを実行する。
【００５４】
本発明の実施例による端末側機器は、プロセッサとメモリを含む。上記プロセッサは、上記メモリにおけるプログラムを読み出して、データ送信前チャネルモニタリングのＣＣＡ検出の開始時点とアイドルチャネルであるＣＣＡ検出結果の所要期間を確定することと、上記ＣＣＡ検出の開始時点とアイドルチャネルであるＣＣＡ検出結果の所要期間に基づいて、アンライセンスバンド上でのチャネルのモニタリングを行うことを実行する。
【発明の効果】
【００５５】
上記方法において、機器がデータ送信前チャネルモニタリングのＣＣＡ検出の開始時点とアイドルチャネルであるＣＣＡ検出結果の所要期間に基づいてアンライセンスバンド上でのチャネルのモニタリングを行うことにより、ＬＴＥシステムがアンライセンス搬送波で動作する場合のチャネル資源競合の解決案を実現した。
【図面の簡単な説明】
【００５６】
本発明の実施例の技術態様をより明確に説明するために、以下、実施例の記載に使用される図面を簡単に紹介する。以下の記載における添付図面は、単に本発明の一部の実施例であり、当業者が創造性のある労働による貢献をすることなくこれらの添付図面から他の図面を得られることが明らかである。
【００５７】
【図１】従来のＦＢＥ方式のＬＢＴ模式図である。
【図２】従来のＬＢＥ方式のＬＢＴ模式図である。
【図３】本発明の実施例によるチャネルモニタリング方法のフローチャートである。
【図４】本発明の実施例によるＣＣＡ検出開始時点確定方式模式図である。
【図５ａ】本発明の実施例による第２のＣＣＡ検出開始時点確定方式模式図である。
【図５ｂ】本発明の実施例による第３のＣＣＡ検出開始時点確定方式模式図である。
【図５ｃ】本発明の実施例による第４のＣＣＡ検出開始時点確定方式模式図である。
【図５ｄ】本発明の実施例による第５のＣＣＡ検出開始時点確定方式模式図である。
【図６】本発明の実施例による複数機器が同じアイドルチャネルであるＣＣＡ検出結果の所要期間を用いるＬＢＴ模式図である。
【図７】本発明の実施例によるチャネルモニタリング機器の構造模式図である。
【図８】本発明の実施例による第２のチャネルモニタリング機器の構造模式図である。
【図９】本発明の実施例による第３のチャネルモニタリング機器の構造模式図である。
【発明を実施するための形態】
【００５８】
本発明の実施例は、チャネルモニタリング方法及び機器を提供することにより、ＬＴＥシステムがアンライセンス搬送波で動作する際のチャネル資源競合の解決案を実現しようとする。
【００５９】
更に、データ送信前チャネルモニタリングのＣＣＡ検出の開始時点とアイドルチャネルであるＣＣＡ検出結果の所要期間を、隣接する各機器が同様の方式で確定することにより、アンライセンスバンドの搬送波において、複数の機器が同一の資源競合ウィンドウで同じアイドルチャネルであるＣＣＡ検出結果の期間を用いてチャネル資源を競合することが確保される。ダウンリンク伝送の場合、各プロバイダー内部の複数の基地局では同じＣＣＡ検出時間が用いられるため、複数の基地局は、資源競合時に１つのアンライセンス機器に等しく、ＬＴＥのアンライセンスバンドでの同一周波数ネットワーク構築が保証される。アップリンク伝送の場合、ＬＴＥにおいてマルチユーザ機器の同時アップリンクスケジューリングのサポートやＭＵ‐ＭＩＭＯ技術の応用が保証され、更にシステム性能が向上する。
【００６０】
本発明の実施例において、任意の機器（当該機器がユーザ機器ＵＥ（Ｕｓｅｒ  Ｅｑｕｉｐｍｅｎｔ；端末とも呼ばれる）であってもよく、基地局であってもよい）に対し、アンライセンスバンドで複数の機器が混在する場合のチャネル資源競合方法を提案し、図３に示すように、具体的に以下のステップを含む。
【００６１】
Ｓ１０１において、機器は、データ送信前チャネルモニタリングのＣＣＡ検出の開始時点とアイドルチャネルであるＣＣＡ検出結果の所要期間を確定する。
【００６２】
Ｓ１０２において、機器は、ステップＳ１０１で確定した上記ＣＣＡ検出の開始時点とアイドルチャネルであるＣＣＡ検出結果の所要期間に基づいて、アンライセンスバンド上のチャネルのモニタリングを行う。更に、モニタリング結果に基づいてチャネルの利用可否を判断してもよい。
【００６３】
ここで、データ送信前チャネルモニタリングのＣＣＡ検出の開始時点を確定することは、具体的に以下の方式の１つを含む。
【００６４】
方式１：機器は、データ伝送最大期間（即ちデータ伝送所要の所定最大期間）、及び、前回ＣＣＡ検出時間ウィンドウ（具体的に、前回のＣＣＡ検出の終了時点に基づく。）に基づいて、今回ＣＣＡ検出の開始時点を確定する。
【００６５】
方式２：機器は、所定の無線フレーム構造におけるＣＣＡ検出の開始時点の定義に基づいて、今回ＣＣＡ検出の開始時点を確定する。
【００６６】
ここで、所定の無線フレーム構造におけるＣＣＡ検出の開始時点の定義について、例えば所定の無線フレーム構造において、ＣＣＡ検出の開始時点が定義され、又は、ＣＣＡ検出の終了時点が定義される。
【００６７】
所定の無線フレーム構造においてＣＣＡ検出の終了時点が定義される場合、機器は、ＣＣＡ検出の終了時点及びアイドルチャネルであるＣＣＡ検出結果の所要期間に基づいて、ＣＣＡ検出の開始時点を確定する。ただし、このとき、まずアイドルチャネルであるＣＣＡ検出結果の所要期間を確定する必要がある。
【００６８】
ここで、上記アイドルチャネルであるＣＣＡ検出結果の所要期間は、アイドルチャネルであるＣＣＡ検出結果の所要期間でＣＣＡ検出をしているので、実際にかかる時間とは異なる。例えば、図２に示すように、アイドルチャネルであるＣＣＡ検出結果の所要期間を、１０（即ちＮ＝１０）個の長さ２０ｕｓのＣＣＡ検出期間に仮定し、即ち、チャネルがアイドルであり占用可能であることを確定するには、１０個のＣＣＡ検出期間のＣＣＡ検出結果として、全てチャネルがアイドルであることを必要とする。しかし、機器が実際のＣＣＡ検出中に採用するＣＣＡ検出期間が１０個より多い。図２に示すように、ＣＣＡ検出中に、２個のＣＣＡ検出期間のＣＣＡ検出結果がチャネルビジーであるため、実際に１２個のＣＣＡ検出期間のＣＣＡ検出が行われた。つまり、各機器が実際のＣＣＡ検出中においてアイドルチャネルであるＣＣＡ検出結果の所要期間で期間においてＣＣＡ検出をしているので、実際にかかる時間の長さは、それぞれ異なる可能性があり、アイドルチャネルであるＣＣＡ検出結果の所要期間より大きい。ただし、各機器にとって、アイドルチャネルであるＣＣＡ検出結果の所要期間は、同一である。従って、本発明の実施例において、アンライセンスバンドの搬送波において、複数の機器が同一資源競合ウィンドウで同じアイドルチャネルであるＣＣＡ検出結果の期間を用いてチャネル資源競合を行う。よって、ダウンリンク伝送の場合、各プロバイダー内部の複数の基地局／セルでは同じＣＣＡ検出時間が用いられるため、複数の基地局／セルは、資源競合において１つのアンライセンス機器に等しく、ＬＴＥのアンライセンスバンドにおけるＬＴＥの同一周波数ネットワーク構築が保証される。アップリンク伝送の場合、ＬＴＥにおいてマルチユーザの同時アップリンクスケジューリングのサポートやＭＵ‐ＭＩＭＯ技術の応用が保証され、更にシステム性能が向上する。
【００６９】
なお、本発明の実施例におけるＣＣＡ検出は、決められた期間において、チャネルがアイドルであると判断する検出であり、エネルギー検出方式の採用が可能である。例えば、２０ｕｓ期間内に、チャネル上での受信信号電力が第１電力閾値より大きいと測定すると、チャネルがビジーであると判断し、逆の場合、チャネルがアイドルであると判断する。
【００７０】
しかも、図２を参照した説明から、本発明の実施例において機器により確定される、データ送信前チャネルモニタリングのアイドルチャネルであるＣＣＡ検出結果の所要期間は、連続する一定期間の長さであってもよく、複数期間の累計した長さであってもよいことが分かる。
【００７１】
機器がデータ送信前チャネルモニタリングのアイドルチャネルであるＣＣＡ検出結果の所要期間（以下Ｔ−＿ＣＣＡで示す）を確定することは、具体的に以下方式の１つを含む。
【００７２】
方式１：アイドルチャネルであるＣＣＡ検出結果の期間を特定の主制御機器から取得する。当該期間は、例えば８０マイクロ秒など、具体的な時間値であってもよく、定量化の時間値であってもよく（例えば、２０マイクロ秒を単位とし、定量化の時間値は８であり、８０マイクロ秒を示す。）、又は、ＬＢＴ拡張ＣＣＡ方式でアイドルチャネルとして検出するＣＣＡ検出期間（２０マイクロ秒）の個数のランダムな数Ｎである。ここで、上記特定の主制御機器は、例えば、主制御基地局又は他の主制御ノードである。
【００７３】
方式２：所定のＴ−＿ＣＣＡ作成ルールに基づいて、関連する入力パラメータ（例えば絶対時間、Ｔ＿ＣＣＡの最大定量化値、プロバイダーの公衆移動端末網ＰＬＭＮ（Ｐｕｂｌｉｃ  Ｌａｎｄ  Ｍｏｂｉｌｅ  Ｎｅｔｗｏｒｋ））に合わせて、アイドルチャネルであるＣＣＡ検出結果の期間を作成する。
【００７４】
機器は、周辺の隣接セルに対する測定結果に基づいて、本発明の方法を採用するか否かを確定することが好ましい。
【００７５】
例えば、当該方法において、上記機器がデータ送信前チャネルモニタリングのＣＣＡ検出の開始時点とアイドルチャネルであるＣＣＡ検出結果の所要期間を確定する前に、更に、上記機器が隣接機器の信号を測定することを含む。対応して、上記機器がデータ送信前チャネルモニタリングのＣＣＡ検出の開始時点とアイドルチャネルであるＣＣＡ検出結果の所要期間を確定することは、具体的に、上記機器が、隣接機器の信号を測定して得た測定結果が所定条件を満たした場合、データ送信前チャネルモニタリングのＣＣＡ検出の開始時点とアイドルチャネルであるＣＣＡ検出結果の所要期間を確定することである。
【００７６】
例示すると、アンライセンスＬＴＥ機器は、当該機器と同じプロバイダーに所属する他ＬＴＥ機器が周辺に存在すると検出し、且つ測定した他ＬＴＥ機器の信号電力が第１閾値（Ｔｈｒｅｓｈｏｌｄ  １）より大きくなると、周辺に隣接ＬＴＥ機器が比較的多いことを意味し、本発明の実施例による上記方法を採用することになる。逆に、アンライセンスＬＴＥ機器は、当該機器と同じプロバイダーに所属する他ＬＴＥ機器が周辺に存在すると検出したが、測定した他ＬＴＥ機器の信号電力が第２閾値（Ｔｈｒｅｓｈｏｌｄ  ２）より小さく、又は、当該機器と同じプロバイダーに所属する他ＬＴＥ機器を周辺で検出しなかった場合、本発明の実施例による上記方法を選択してもよく、従来のＬＢＴ方式の採用を選択してもよい。従来のＬＢＴ方式として、アンライセンスＬＴＥ機器は、ＣＣＡ検出の開始時点を自主的に選択すると共に、データ送信前のアイドルチャネルであるＣＣＡ検出結果の所要期間を基準の要求に基づいて自主的に作成する。
【００７７】
ここで、Ｔｈｒｅｓｈｏｌｄ  １とＴｈｒｅｓｈｏｌｄ  ２とは、同一値であってもよく、異なる値であってもよい。Ｔｈｒｅｓｈｏｌｄ  １とＴｈｒｅｓｈｏｌｄ  ２とは、異なる値である場合、大小関係が限定されず、Ｔｈｒｅｓｈｏｌｄ  １＞Ｔｈｒｅｓｈｏｌｄ  ２が好ましい。
【００７８】
以下、いくつかの具体的な実施例を例示する。
【００７９】
実施例１：
機器は、チャネル最大占用期間及び前回ＣＣＡ検出時間ウィンドウに基づいて、今回のデータ送信前チャネルモニタリングのＣＣＡ検出の開始時点を確定する。
機器のプロバイダーは、関連アンライセンスバンド基準の要求に基づいて、機器の毎回ごとの競合でチャネルを得る後の最大伝送期間、即ちチャネル最大占用期間を設定する。例えば、チャネル最大占用期間を１０ｍｓとする。
本実施例において、ＣＣＡ検出の開始時点確定方法として、前回ＣＣＡ検出時間ウィンドウの終了時点に１つのチャネル最大占用期間を加算した時点を今回のＣＣＡ検出の開始時点とする。
なお、各ＣＣＡ検出時間ウィンドウは、異なる可能性があり、１つ又は複数のＣＣＡタイムスロット（ｓｌｏｔ）からなる。図４に示すように、時間軸から見れば、ＣＣＡ検出開始時点確定用の各ＣＣＡ検出ウィンドウの大きさは、ランダムに変更可能であり、機器による今回のＣＣＡ検出でのアイドルチャネルであるＣＣＡ検出結果の所要期間（実際の検出に用いられるアイドルチャネルであるＣＣＡ検出結果の期間ではない）である。即ち、アイドルチャネルであるＣＣＡ検出結果の所要期間を今回のＣＣＡ検出時間ウィンドウの大きさとして採用し、次回のＣＣＡ検出の開始時点の確定に用いる。
当該方法により、基地局の毎回伝送時間が最大伝送時間より小さくても、チャネルを占用して最大データ伝送期間終了後になって初めてＣＣＡ検出が開始する。図４に示すように、複数の機器の第１回ＣＣＡ検出の開始時点が同じであり、新規起動機器のＣＣＡ検出開始時点が一定の同期手段により先に動作する機器と同一にセットされることを前提とする。例えば、バックホール同期方式で機器同士のＣＣＡ検出開始時点の同期を実現する。
図４に示すように、３つのＬＴＥ基地局（ＬＴＥ基地局１、ＬＴＥ基地局２、ＬＴＥ基地局３）と１つのＷＩＦＩノード（ＷＩＦＩノード１）が混在すると仮定する。ＬＴＥ基地局（ＬＴＥ基地局１、ＬＴＥ基地局２、ＬＴＥ基地局３）は、前回ＣＣＡ検出終了時点に１つの最大データ伝送期間を加算して今回ＣＣＡ検出開始時点とする。
なお、今回ＣＣＡ検出開始時点は、前回データ伝送に実際にかかる時間とは直接的な関係がない。よって、機器による毎回のデータ伝送は、最大データ伝送期間にわたって行う必要がなく、実際のサービス量に応じて伝送時間を確定してもよい。図４において、ＬＴＥ基地局（ＢＳ）２とＬＴＥ基地局（ＢＳ）３とは、ＷＩＦＩノード１に近いため、第２回データ伝送前にＷＩＦＩノード１から干渉を受けるから伝送できない。一方、ＬＴＥ基地局（ＢＳ）１は、ＷＩＦＩノード１から遠く、ＷＩＦＩノード１から干渉を受けずに正常に伝送する。図４では、斜線部分が信号フレームを示し、即ちデータ伝送に実際にかかる時間である。
【００８０】
実施例２：
機器は、無線フレーム構造に基づいてＣＣＡ検出開始時点を確定する。
本実施例において、機器は、アンライセンスバンドで動作する際に、事前に定義された無線フレーム構造又は事前に配置された無線フレーム構造に従う。当該無線フレーム構造において、ＣＣＡ検出の開始時点に関する定義がある。
図５ａに示すように、ＣＣＡ検出開始時点確定方式の一つとして、無線フレーム構造においてＣＣＡ検出の開始時点を事前に定義することを含む。例えば、無線フレーム構造におけるデータ伝送サブフレーム（ＬＴＥに対応して、当該データ伝送サブフレームがダウンリンクサブフレームであってもよく、アップリンクサブフレームであってもよい）の前に、ＣＣＡ検出ウィンドウＣＷ（Ｃｏｎｔｅｎｔｉｏｎ  Ｗｉｎｄｏｗ）を配置し、ＣＣＡ検出ウィンドウの開始時点をＣＣＡ検出の開始時点としてもよい。
なお、当該図５ａに示すＣＣＡ検出開始時点確定方式による一つの結果として、機器がＣＣＡ検出に基づいてチャネルを得てからデータ伝送サブフレームまでに一定のタイムスロットを有することである。当該タイムスロットにチャネルが他の機器に占用されないよう、チャネルを占用した機器は、占用信号を伝送するか、前倒しでデータ送信を行う。例えば、当該タイムスロットは、１つの完全なサブフレームを搬送するのに充分でなければ、非完全なサブフレームの形式でデータ伝送をする。
又は、図５ｂに示すように、ＣＣＡ検出開始時点確定のもう一つの方式として、無線フレームにＣＣＡ検出ウィンドウを配置し、ＣＣＡ検出ウィンドウの終了時点をＣＣＡ検出の終了時点とする。機器は、前倒しで作成し又は取得した今回データ送信前チャネルモニタリングのアイドルチャネルであるＣＣＡ検出結果の所要時間に基づいて、ＣＣＡ検出の開始時点を推算して得る。
無線フレームでダウンリンクサブフレームのみを伝送する場合、上記図５ａと図５ｂに示すＣＣＡ検出開始時点を確定する２種類の方式は、それぞれ図５ｃと図５ｄに示すＣＣＡ検出開始時点を確定する方式に対応し、ここでは繰り返して記載しない。
実施例１、２の方法によれば、同一プロバイダーに所属する複数のアンライセンス機器は、同じＣＣＡ検出開始時点を確定することができるが、複数のアンライセンス機器同士の相互干渉を避けるため、複数のアンライセンス機器が正しくＣＣＡ検出をする回数も一致する必要がある。従って、以下の実施例３、４、５の方法と共に、データ送信前チャネルモニタリングのアイドルチャネルであるＣＣＡ検出結果の所要期間を更に取得する必要がある。
【００８１】
実施例３：
複数のＬＴＥ基地局又はＵＥは、アイドルチャネルであるＣＣＡ検出結果の所要期間を主制御基地局又は主制御ノードから取得する。
ここで、記載の便利さを図り、上記のアイドルチャネルであるＣＣＡ検出結果の期間をＴ＿ＣＣＡと表記する。主制御基地局又は主制御ノード（例えばＴ＿ＣＣＡ作成専用モジュールのユニット）は、Ｔ＿ＣＣＡを事前に作成する。当該Ｔ＿ＣＣＡは、具体的な時間値であってもよく、定量化の時間値であってもよく、又は、ＬＢＴ拡張ＣＣＡ方式でアイドルチャネルとして検出するＣＣＡ検出期間個数のランダムな数値とするＮである。
主制御基地局又は主制御ノードは、事前に作成したＴ＿ＣＣＡを前倒しで制御対象である複数の基地局又はＵＥ機器に配布する。複数の基地局がアンライセンスバンドの搬送波でＬＢＴ方式により資源競合をする際に、当該同一のＴ＿ＣＣＡが採用される。図６に示すように、当該方式では、ＬＴＥ機器同士の資源競合時の衝突が避けられた。
主制御基地局又は主制御ノードは、Ｔ＿ＣＣＡを周期的に作成してもよい。例えばＴ＿ＣＣＡを２０ｍｓ毎に作成して配布する。
主制御基地局又は主制御ノードは、制御対象である複数の基地局又はＵＥにＴ＿ＣＣＡを事前に配布する。ここで、Ｔ＿ＣＣＡ送信の前倒し時間量は、Ｔ＿ＣＣＡを制御対象である複数の基地局又はＵＥ機器に伝送するバックホールの伝送遅延を考慮する必要があり、よって複数の基地局機器が資源競合時に全て当該Ｔ＿ＣＣＡを受信できることが保証される。
複数の基地局機器において、受信したＴ＿ＣＣＡの発効時間の一致を図るために、主制御基地局又は主制御ノードは、Ｔ＿ＣＣＡ送信と共に、発効時間情報を保有してもよい。
【００８２】
実施例４：
複数のＬＴＥ基地局又はＵＥ機器は、同じルールに基づいて、アイドルチャネルであるＣＣＡ検出結果の所要期間を作成する。
ここで、記載の便利さを図り、上記のアイドルチャネルであるＣＣＡ検出結果の期間をＴ＿ＣＣＡと表記する。Ｔ＿ＣＣＡ生成ルール（又は公式）を事前に定義し、複数のＬＴＥ基地局又はＵＥは、いずれも当該ルールを用いてＴ＿ＣＣＡを作成する。Ｔ＿ＣＣＡは、具体的な時間値であってもよく、定量化の時間値であってもよく、又は、ＬＢＴ拡張ＣＣＡ方式でアイドルチャネルとして検出するＣＣＡ検出期間個数のランダムな数値とするＮである。
例えば、Ｔ＿ＣＣＡは、絶対時間に基づいて、又は更にプロバイダーの公衆移動端末網ＰＬＭＮ（Ｐｕｂｌｉｃ  Ｌａｎｄ  Ｍｏｂｉｌｅ  Ｎｅｔｗｏｒｋ）識別子に合わせて生成される。例えば、Ｔ＿ＣＣＡ＝ｍｏｄ（Ｔ／Ｎ）又はＴ＿ＣＣＡ＝ｍｏｄ（Ｔ＊ＰＬＭＮ／Ｎ）を用いて、アイドルチャネルであるＣＣＡ検出結果の所要期間を確定する。
ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す。Ｔ＿ＣＣＡは、ｍｏｄ（Ｔ／Ｎ）の切り下げ整数又はｍｏｄ（Ｔ＊ＰＬＭＮ／Ｎ）の切り下げ整数を取る。
又は、複数の基地局又はＵＥは、同じルール／公式を用いると共に、同じ乱数種を用いてＴ＿ＣＣＡを作成する。複数の基地局又はＵＥは、乱数種をインタラクティブし、又は、主制御モードは、当該乱数種を複数の基地局又はＵＥに通知する。
各ＵＥにとって、事前に定義されたルールに基づいて、更に基地局から通知された特定のパラメータ（上記特定のパラメータは、当該特定のパラメータ及び所定のルールを用いて、アイドルチャネルであるＣＣＡ検出結果の所要期間を確定するように、ＵＥに指示するためのものであり、例えば乱数種である）に基づいて、同じＴ＿ＣＣＡを作成してもよい。
例えば、基地局は、アップリンクスケジューリンググラントのＰＤＣＣＨシグナリングに上記特定のパラメータ（例えば乱数種）を保有してＵＥに通知する。ＵＥは、当該特定のパラメータに基づいて、更に事前に定義したルールに合わせてＴ＿ＣＣＡを作成する。
ここで、事前に定義したルールに基づいて更に特定のパラメータ（例えば乱数種、又は乱数種とＰＬＭＮ）に合わせてＴ＿ＣＣＡを作成する方式として、例えばＴ＿ＣＣＡ＝ｍｏｄ（Ｔ＿Ｓｅｅｄ／Ｎ）又はＴ＿ＣＣＡ＝ｍｏｄ（Ｔ＿Ｓｅｅｄ＊ＰＬＭＮ／Ｎ）に基づいてＴ＿ＣＣＡを作成する。ここで、Ｔ＿Ｓｅｅｄは、乱数種である。
ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値（所定の常数）を示し、ＰＬＭＮは、上記機器の所属するプロバイダーのＰＬＭＮ識別子を示す。Ｔ＿ＣＣＡは、ｍｏｄ（Ｔ＿Ｓｅｅｄ／Ｎ）の切り下げ整数又はｍｏｄ（Ｔ＿Ｓｅｅｄ＊ＰＬＭＮ／Ｎ）の切り下げ整数を取る。
【００８３】
実施例５：
基地局は、アイドルチャネルであるＣＣＡ検出結果の所要期間をＵＥに通知する。
ここで、記載の便利さを図り、上記のアイドルチャネルであるＣＣＡ検出結果の期間をＴ＿ＣＣＡと表記する。
基地局は、複数のＵＥのアップリンクデータ伝送をスケジューリングする際に、事前に１つのＴ＿ＣＣＡを作成する。基地局は、アップリンクデータ送信時のチャネル競合に用いられるＴ＿ＣＣＡをＵＥに通知する。例えば、基地局は、アップリンクスケジューリンググラントの物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）シグナリングにＴ＿ＣＣＡを保有してＵＥに通知する。ＰＤＣＣＨシグナリングにおける具体的に通知する情報は、具体的な時間値であってもよく、定量化の時間値であってもよく、又は、ＬＢＴ拡張ＣＣＡ方式でアイドルチャネルとして検出するＣＣＡ検出期間個数のランダムな数値とするＮである。
１つのアップリンクサブフレームにおいて複数のアップリンクＵＥのスケジューリングが必要である場合、同じＴ＿ＣＣＡを複数のアップリンクＵＥに通知して、これらのアップリンクＵＥが互いにチャネル資源競合をすることを避けようとする。隣接する異なる基地局に所属する複数のＵＥが一致でないＴ＿ＣＣＡを用いることから互いに資源競合をすることを避けるために、複数の基地局から各自所属ＵＥに通知されたＴ＿ＣＣＡは、同じであってもよい。このとき、複数の基地局は、実施例３又は実施例４の方法で同じＴ＿ＣＣＡを取得してもよい。
なお、ここで基地局では、ＰＤＣＣＨチャネルにアイドルチャネルであるＣＣＡ検出結果の所要期間の発効時間情報も保有されている。当該発効時間情報は、当該ＰＤＣＣＨスケジューリングに対応するアップリンクサブフレームの一つ前の競合ウィンドウ（図５ａと図５ｂのアップリンクサブフレームの一つ前のＣＣＡ検出ウィンドウＣＷを参照する）である。
【００８４】
実施例６：
機器が、本発明の実施例によるデータ送信前チャネルモニタリングのＣＣＡ検出の開始時点とアイドルチャネルであるＣＣＡ検出結果の所要期間を確定する方法を採用するか否かを原則選択する。
機器は、周辺隣接セルに対する測定結果に基づいて、本発明の実施例によるデータ送信前チャネルモニタリングのＣＣＡ検出の開始時点とアイドルチャネルであるＣＣＡ検出結果の所要期間を確定する方法を採用するか否かを確定してもよい。
例えば、アンライセンスＬＴＥ機器は、当該機器と同じプロバイダーに所属する他ＬＴＥ機器が周辺に存在すると検出し、且つ測定した他ＬＴＥ機器の信号電力が閾値Ｔｈｒｅｓｈｏｌｄ  １より大きくなると、本発明の実施例によるデータ送信前チャネルモニタリングのＣＣＡ検出の開始時点とアイドルチャネルであるＣＣＡ検出結果の所要期間を確定する方法を採用することになる。
逆に、アンライセンスＬＴＥ機器は、当該機器と同じプロバイダーに所属する他ＬＴＥ機器が周辺に存在すると検出したが、測定した他ＬＴＥ機器の信号電力が閾値Ｔｈｒｅｓｈｏｌｄ  ２より小さく、又は、当該機器と同じプロバイダーに所属する他ＬＴＥ機器を周辺で検出しなかった場合、本発明の実施例によるデータ送信前チャネルモニタリングのＣＣＡ検出の開始時点とアイドルチャネルであるＣＣＡ検出結果の所要期間を確定する方法を選択してもよく、従来のＬＢＴ方式の採用を選択してもよい。従来のＬＢＴ方式として、アンライセンスＬＴＥ機器は、ＣＣＡ検出の開始時点を自主的に選択すると共に、データ送信前のアイドルチャネルであるＣＣＡ検出結果の所要期間を基準の要求に基づき自主的に作成する。
本発明の実施例によるデータ送信前チャネルモニタリングのＣＣＡ検出の開始時点とアイドルチャネルであるＣＣＡ検出結果の所要期間を確定する方法を採用すると、ダウンリンク伝送の場合、各プロバイダー内部の複数の基地局／セルではいずれも同じＴ＿ＣＣＡが用いられるため、複数の基地局／セルは、資源競合時に１つのアンライセンス機器に等しい。図６に示すように、当該方式は、同一プロバイダーに所属する複数の基地局／セルがチャネルモニタリングの際に自プロバイダー内部の他基地局／セルの信号が検出されないことを保証する。即ち、一旦信号電力を検出すると、他プロバイダー又は他アンライセンスシステムの信号であると判断できる。信号が検出できなければ、同一プロバイダーの複数の基地局／セルは、同時にチャネルを占用することができる。これにより、１つのプロバイダー内部の複数の基地局による資源競合をして同一周波数ネットワーク構築ができないことが避けられた。
アップリンク伝送にとって、同一プロバイダーに所属する複数のユーザが同じＴ‐ＣＣＡを用いるため、同一サブフレームで同時にアップリンクデータを送信することができる。これにより、基地局は、複数のアップリンクユーザをスケジューリングすることができてアップリンクマルチユーザダイバーシティ利得を取得し、又はアップリンクＭＵ‐ＭＩＭＯ伝送を実現する。更にアンライセンス搬送波でＬＴＥの高効率伝送が保証される。
【００８５】
図７に示すように、上記方法に対応して、本発明の実施例によるチャネルモニタリング機器は、データ送信前チャネルモニタリングのＣＣＡ検出の開始時点とアイドルチャネルであるＣＣＡ検出結果の所要期間を確定するための確定ユニット１１と、上記ＣＣＡ検出の開始時点とアイドルチャネルであるＣＣＡ検出結果の所要期間に基づいて、アンライセンスバンド上でのチャネルのモニタリングを行うためのモニタリングユニット１２とを含む。
【００８６】
当該機器がデータ送信前チャネルモニタリングのＣＣＡ検出の開始時点とアイドルチャネルであるＣＣＡ検出結果の所要期間に基づいてアンライセンスバンド上でのチャネルのモニタリングを行うことにより、ＬＴＥシステムがアンライセンス搬送波で動作する場合のチャネル資源競合の解決案を実現した。
【００８７】
上記確定ユニットは、データ送信前チャネルモニタリングのＣＣＡ検出の開始時点を確定する際に、具体的に、データ伝送最大期間、及び、長さが前回のアイドルチャネルであるＣＣＡ検出結果の所要期間である前回ＣＣＡ検出時間ウィンドウに基づいて、データ送信前チャネルモニタリングのＣＣＡ検出の開始時点を確定することに用いられ、又は、所定の無線フレーム構造におけるＣＣＡ検出の開始時点の定義に基づいて、データ送信前チャネルモニタリングのＣＣＡ検出の開始時点を確定することに用いられることが好ましい。
【００８８】
上記確定ユニットは、アイドルチャネルであるＣＣＡ検出結果の所要期間を確定する際に、具体的に、アイドルチャネルであるＣＣＡ検出結果の所要期間を特定の主制御機器から取得することに用いられ、又は、所定のルールに基づいて、アイドルチャネルであるＣＣＡ検出結果の所要期間を確定することに用いられることが好ましい。
【００８９】
データ送信前チャネルモニタリングのＣＣＡ検出の開始時点とアイドルチャネルであるＣＣＡ検出結果の所要期間を、隣接する各機器が同様の方式で確定することにより、アンライセンスバンドの搬送波において、複数の機器が同一の資源競合ウィンドウで同じアイドルチャネルであるＣＣＡ検出結果の期間を用いてチャネル資源を競合することが確保される。ダウンリンク伝送の場合、各プロバイダー内部の複数の基地局では同じＣＣＡ検出時間が用いられるため、複数の基地局は、資源競合時に１つのアンライセンス機器に等しく、ＬＴＥのアンライセンスバンドでの同一周波数ネットワーク構築が保証される。アップリンク伝送の場合、ＬＴＥにおいてマルチユーザ機器の同時アップリンクスケジューリングのサポートやＭＵ‐ＭＩＭＯ技術の応用が保証され、更にシステム性能が向上する。
【００９０】
上記確定ユニットは、所定のルールに基づいて、アイドルチャネルであるＣＣＡ検出結果の所要期間を確定する際に、具体的に、Ｔ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することに用いられることが好ましい。
【００９１】
上記確定ユニットは、データ送信前チャネルモニタリングのＣＣＡ検出の開始時点とアイドルチャネルであるＣＣＡ検出結果の所要期間を確定する前に、更に隣接機器の信号を測定することに用いられることが好ましい。上記確定ユニットは、データ送信前チャネルモニタリングのＣＣＡ検出の開始時点とアイドルチャネルであるＣＣＡ検出結果の所要期間を確定することは、具体的に、隣接機器の信号を測定して得た測定結果が所定条件を満たした場合、データ送信前チャネルモニタリングのＣＣＡ検出の開始時点とアイドルチャネルであるＣＣＡ検出結果の所要期間を確定することであることが好ましい。
【００９２】
上記確定ユニットが隣接機器の信号を測定することは、具体的に、上記確定ユニットが隣接機器の信号の電力を測定することであり、上記確定ユニットが、隣接機器の信号を測定して得た測定結果が所定条件を満たした場合、データ送信前チャネルモニタリングのＣＣＡ検出の開始時点とアイドルチャネルであるＣＣＡ検出結果の所要期間を確定することは、具体的に、上記確定ユニットが、隣接機器の信号電力が所定の閾値より大きくなると、データ送信前チャネルモニタリングのＣＣＡ検出の開始時点とアイドルチャネルであるＣＣＡ検出結果の所要期間を確定することであることが好ましい。
【００９３】
上記機器は、基地局又はユーザ機器ＵＥであることが好ましい。
【００９４】
上記機器が基地局である場合、上記確定ユニットは、更に、アイドルチャネルであるＣＣＡ検出結果の所要期間が保有された通知をＵＥに送信することに用いられることが好ましい。
【００９５】
上記確定ユニットは、アップリンクスケジューリンググラントのＰＤＣＣＨシグナリングを介して、ＵＥに通知を送信することが好ましい。
【００９６】
上記機器が基地局である場合、上記確定ユニットは、更に、特定のパラメータが保有された通知をＵＥに送信することに用いられることが好ましく、ここで、上記特定のパラメータは、当該特定のパラメータ及び所定のルールを用いて、アイドルチャネルであるＣＣＡ検出結果の所要期間を確定するように、ＵＥに指示するためのものである。
【００９７】
上記通知には、アイドルチャネルであるＣＣＡ検出結果の所要期間の発効時間情報も保有されていることが好ましい。
【００９８】
上記機器がＵＥである場合、上記確定ユニットは、アイドルチャネルであるＣＣＡ検出結果の所要期間を確定する際に、具体的に、基地局から送信された通知を受信し、アイドルチャネルであるＣＣＡ検出結果の所要期間を上記通知から取得することに用いられることが好ましい。
【００９９】
上記確定ユニットは、アップリンクスケジューリンググラントのＰＤＣＣＨシグナリングを介して、基地局から送信された通知を受信することが好ましい。
【０１００】
上記機器がＵＥである場合、上記確定ユニットは、アイドルチャネルであるＣＣＡ検出結果の所要期間を確定する際に、具体的に、基地局から送信された通知を受信し、特定のパラメータを上記通知から取得し、当該特定のパラメータ及び所定のルールを用いて、アイドルチャネルであるＣＣＡ検出結果の所要期間を確定することに用いられることが好ましい。
【０１０１】
上記確定ユニットは、更に、アイドルチャネルであるＣＣＡ検出結果の所要期間の発効時間情報を上記通知から取得することに用いられることが好ましい。上記モニタリングユニットは、具体的に、上記ＣＣＡ検出の開始時点とアイドルチャネルであるＣＣＡ検出結果の所要期間、及び上記発効時間情報に基づいて、アンライセンスバンド上でのチャネルのモニタリングを行うことに用いられることが好ましい。
【０１０２】
以上の各ユニットは、いずれもプロセッサなどの実体装置により実現されてもよい。
【０１０３】
図８に示すように、上記機器がネットワーク側機器であって、例えば基地局である場合、当該ネットワーク側機器は、プロセッサ５００と、プロセッサ５００による制御で関連情報データを送受信するためのトランシーバ５１０とを含む。
上記プロセッサ５００は、メモリ５２０におけるプログラムを読み出して、データ送信前チャネルモニタリングのＣＣＡ検出の開始時点とアイドルチャネルであるＣＣＡ検出結果の所要期間を確定することと、上記ＣＣＡ検出の開始時点とアイドルチャネルであるＣＣＡ検出結果の所要期間に基づいて、アンライセンスバンド上でのチャネルのモニタリングを行うことを実行する。
【０１０４】
当該機器がデータ送信前チャネルモニタリングのＣＣＡ検出の開始時点とアイドルチャネルであるＣＣＡ検出結果の所要期間に基づいてアンライセンスバンド上でのチャネルのモニタリングを行うことにより、ＬＴＥシステムがアンライセンス搬送波で動作する場合のチャネル資源競合の解決案を実現した。
【０１０５】
上記プロセッサ５００は、データ送信前チャネルモニタリングのＣＣＡ検出の開始時点を確定する際に、具体的に、データ伝送最大期間、及び、長さが前回のアイドルチャネルであるＣＣＡ検出結果の所要期間である前回ＣＣＡ検出時間ウィンドウに基づいて、データ送信前チャネルモニタリングのＣＣＡ検出の開始時点を確定することに用いられ、又は、所定の無線フレーム構造におけるＣＣＡ検出の開始時点の定義に基づいて、データ送信前チャネルモニタリングのＣＣＡ検出の開始時点を確定することに用いられることが好ましい。
【０１０６】
上記プロセッサ５００は、アイドルチャネルであるＣＣＡ検出結果の所要期間を確定する際に、具体的に、アイドルチャネルであるＣＣＡ検出結果の所要期間を特定の主制御機器から取得することに用いられ、又は、所定のルールに基づいて、アイドルチャネルであるＣＣＡ検出結果の所要期間を確定することに用いられることが好ましい。
【０１０７】
データ送信前チャネルモニタリングのＣＣＡ検出の開始時点とアイドルチャネルであるＣＣＡ検出結果の所要期間を、隣接する各機器が同様の方式で確定することにより、アンライセンスバンドの搬送波において、複数の機器が同一の資源競合ウィンドウで同じアイドルチャネルであるＣＣＡ検出結果の期間を用いてチャネル資源を競合することが確保される。ダウンリンク伝送の場合、各プロバイダー内部の複数の基地局では同じＣＣＡ検出時間が用いられるため、複数の基地局は、資源競合時に１つのアンライセンス機器に等しく、ＬＴＥのアンライセンスバンドでの同一周波数ネットワーク構築が保証される。アップリンク伝送の場合、ＬＴＥにおいてマルチユーザ機器の同時アップリンクスケジューリングのサポートやＭＵ‐ＭＩＭＯ技術の応用が保証され、更にシステム性能が向上する。
【０１０８】
上記プロセッサ５００は、所定のルールに基づいて、アイドルチャネルであるＣＣＡ検出結果の所要期間を確定する際に、具体的に、Ｔ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することに用いられることが好ましい。
【０１０９】
上記プロセッサ５００は、データ送信前チャネルモニタリングのＣＣＡ検出の開始時点とアイドルチャネルであるＣＣＡ検出結果の所要期間を確定する前に、更に隣接機器の信号を測定することに用いられることが好ましい。上記プロセッサ５００は、データ送信前チャネルモニタリングのＣＣＡ検出の開始時点とアイドルチャネルであるＣＣＡ検出結果の所要期間を確定することは、具体的に、隣接機器の信号を測定して得た測定結果が所定条件を満たした場合、データ送信前チャネルモニタリングのＣＣＡ検出の開始時点とアイドルチャネルであるＣＣＡ検出結果の所要期間を確定することであることが好ましい。
【０１１０】
上記プロセッサ５００が隣接機器の信号を測定することは、具体的に、上記確定ユニットが隣接機器の信号の電力を測定することであることが好ましい。上記プロセッサ５００は、隣接機器の信号を測定して得た測定結果が所定条件を満たした場合、データ送信前チャネルモニタリングのＣＣＡ検出の開始時点とアイドルチャネルであるＣＣＡ検出結果の所要期間を確定することは、具体的に、隣接機器の信号電力が所定の閾値より大きくなると、上記プロセッサ５００がデータ送信前チャネルモニタリングのＣＣＡ検出の開始時点とアイドルチャネルであるＣＣＡ検出結果の所要期間を確定することであることが好ましい。
【０１１１】
上記プロセッサ５００は、更に、アイドルチャネルであるＣＣＡ検出結果の所要期間が保有された通知をＵＥに送信することに用いられることが好ましい。
【０１１２】
上記プロセッサ５００は、アップリンクスケジューリンググラントのＰＤＣＣＨシグナリングを介して、ＵＥに通知を送信することが好ましい。
【０１１３】
プロセッサ５００は、更に、特定のパラメータが保有された通知をＵＥに送信することに用いられることが好ましく、ここで、上記特定のパラメータは、当該特定のパラメータ及び所定のルールを用いて、アイドルチャネルであるＣＣＡ検出結果の所要期間を確定するように、ＵＥに指示するためのものである。
【０１１４】
上記通知には、アイドルチャネルであるＣＣＡ検出結果の所要期間の発効時間情報も保有されていることが好ましい。
【０１１５】
ここで、図５において、バスアーキテクチャは、任意数の相互接続するバスとブリッジを含み、具体的に、プロセッサ５００をはじめとする１つ又は複数のプロセッサとメモリ５２０をはじめとするメモリの各種類の回路が接続したものである。バスアーキテクチャは、周辺機器、レギュレーター、電力管理回路などの各種類のほかの回路を接続したものであってもよい。これらは、いずれも本分野の周知事項であり、本明細書においてさらなる記載をしない。バスインタフェースにより、インタフェースが提供される。トランシーバ５１０は、複数の部品であってもよく、即ち送信機と受信機を含み、伝送媒体でほかの各種類の装置と通信するユニットとして提供される。プロセッサ５００は、バスアーキテクチャと通常の処理を管理する。メモリ５２０は、プロセッサ５００による作業時に使用されるデータを記憶できる。
【０１１６】
図９に示すように、上記機器が端末側機器であって、例えばＵＥである場合、当該端末側機器は、プロセッサ６００と、プロセッサ６００による制御で関連情報データを送受信するためのトランシーバ６１０とを含む。
上記プロセッサ６００は、メモリ６２０におけるプログラムを読み出して、データ送信前チャネルモニタリングのＣＣＡ検出の開始時点とアイドルチャネルであるＣＣＡ検出結果の所要期間を確定することと、上記ＣＣＡ検出の開始時点とアイドルチャネルであるＣＣＡ検出結果の所要期間に基づいて、アンライセンスバンド上でのチャネルのモニタリングを行うことを実行する。
【０１１７】
当該機器がデータ送信前チャネルモニタリングのＣＣＡ検出の開始時点とアイドルチャネルであるＣＣＡ検出結果の所要期間に基づいてアンライセンスバンド上でのチャネルのモニタリングを行うことにより、ＬＴＥシステムがアンライセンス搬送波で動作する場合のチャネル資源競合の解決案を実現した。
【０１１８】
上記プロセッサ６００は、データ送信前チャネルモニタリングのＣＣＡ検出の開始時点を確定する際に、具体的に、データ伝送最大期間、及び、長さが前回のアイドルチャネルであるＣＣＡ検出結果の所要期間である前回ＣＣＡ検出時間ウィンドウに基づいて、データ送信前チャネルモニタリングのＣＣＡ検出の開始時点を確定することに用いられ、又は、所定の無線フレーム構造におけるＣＣＡ検出の開始時点の定義に基づいて、データ送信前チャネルモニタリングのＣＣＡ検出の開始時点を確定することに用いられることが好ましい。
【０１１９】
上記プロセッサ６００は、アイドルチャネルであるＣＣＡ検出結果の所要期間を確定する際に、具体的に、アイドルチャネルであるＣＣＡ検出結果の所要期間を特定の主制御機器から取得することに用いられ、又は、所定のルールに基づいて、アイドルチャネルであるＣＣＡ検出結果の所要期間を確定することに用いられることが好ましい。
【０１２０】
データ送信前チャネルモニタリングのＣＣＡ検出の開始時点とアイドルチャネルであるＣＣＡ検出結果の所要期間を、隣接する各機器が同様の方式で確定することにより、アンライセンスバンドの搬送波において、複数の機器が同一の資源競合ウィンドウで同じアイドルチャネルであるＣＣＡ検出結果の期間を用いてチャネル資源を競合することが確保される。ダウンリンク伝送の場合、各プロバイダー内部の複数の基地局では同じＣＣＡ検出時間が用いられるため、複数の基地局は、資源競合時に１つのアンライセンス機器に等しく、ＬＴＥのアンライセンスバンドでの同一周波数ネットワーク構築が保証される。アップリンク伝送の場合、ＬＴＥにおいてマルチユーザ機器の同時アップリンクスケジューリングのサポートやＭＵ‐ＭＩＭＯ技術の応用が保証され、更にシステム性能が向上する。
【０１２１】
上記プロセッサ６００は、所定のルールに基づいて、アイドルチャネルであるＣＣＡ検出結果の所要期間を確定する際に、具体的に、Ｔ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することに用いられることが好ましい。
【０１２２】
上記プロセッサ６００は、データ送信前チャネルモニタリングのＣＣＡ検出の開始時点とアイドルチャネルであるＣＣＡ検出結果の所要期間を確定する前に、更に隣接機器の信号を測定することに用いられることが好ましい。上記プロセッサ６００は、データ送信前チャネルモニタリングのＣＣＡ検出の開始時点とアイドルチャネルであるＣＣＡ検出結果の所要期間を確定することは、具体的に、隣接機器の信号を測定して得た測定結果が所定条件を満たした場合、上記プロセッサ６００が、データ送信前チャネルモニタリングのＣＣＡ検出の開始時点とアイドルチャネルであるＣＣＡ検出結果の所要期間を確定することであることが好ましい。
【０１２３】
上記プロセッサ６００が隣接機器の信号を測定することは、具体的に、上記確定ユニットが隣接機器の信号の電力を測定することであることが好ましい。上記プロセッサ６００は、隣接機器の信号を測定して得た測定結果が所定条件を満たした場合、データ送信前チャネルモニタリングのＣＣＡ検出の開始時点とアイドルチャネルであるＣＣＡ検出結果の所要期間を確定することは、具体的に、隣接機器の信号電力が所定の閾値より大きくなると、データ送信前チャネルモニタリングのＣＣＡ検出の開始時点とアイドルチャネルであるＣＣＡ検出結果の所要期間を確定することであることが好ましい。
【０１２４】
上記プロセッサ６００は、アイドルチャネルであるＣＣＡ検出結果の所要期間を確定する際に、具体的に、基地局から送信された通知を受信し、アイドルチャネルであるＣＣＡ検出結果の所要期間を上記通知から取得することに用いられることが好ましい。
【０１２５】
上記プロセッサ６００は、アップリンクスケジューリンググラントのＰＤＣＣＨシグナリングを介して、基地局から送信された通知を受信することが好ましい。
【０１２６】
上記プロセッサ６００は、アイドルチャネルであるＣＣＡ検出結果の所要期間を確定する際に、具体的に、基地局から送信された通知を受信し、特定のパラメータを上記通知から取得し、当該特定のパラメータ及び所定のルールを用いて、アイドルチャネルであるＣＣＡ検出結果の所要期間を確定することに用いられることが好ましい。
【０１２７】
上記プロセッサ６００は、更に、アイドルチャネルであるＣＣＡ検出結果の所要期間の発効時間情報を上記通知から取得することに用いられることが好ましい。上記プロセッサ６００は、上記ＣＣＡ検出の開始時点とアイドルチャネルであるＣＣＡ検出結果の所要期間に基づいてアンライセンスバンド上でのチャネルのモニタリングを行う際に、具体的に、上記ＣＣＡ検出の開始時点とアイドルチャネルであるＣＣＡ検出結果の所要期間及び上記発効時間情報に基づいて、アンライセンスバンド上でのチャネルのモニタリングを行うことに用いられることが好ましい。
【０１２８】
ここで、図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺機器、レギュレーター、電力管理回路などの各種類のほかの回路を接続したものであってもよい。これらは、いずれも本分野の周知事項であり、本明細書においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットとして提供される。異なるユーザ端末によっては、ユーザインタフェース６３０は、内部接続や外部接続する機器のインタフェースであってもよい。接続する機器は、キーパッド、ディスプレイ、スピーカ、マイクロフォン、ジョイスティックなどを含むが、それらに限られない。
【０１２９】
プロセッサ６００は、バスアーキテクチャと通常の処理を管理する。メモリ６２０は、プロセッサ６００による作業時に使用されるデータを記憶できる。
【０１３０】
なお、本発明の実施例による技術態様は、ＬＴＥ機器がアンライセンスバンドで動作することに用いられてもよく、他のアンライセンスシステムに用いられてもよい。
【０１３１】
以上の記載をまとめると、本発明の実施例によれば、ＬＴＥがアンライセンスバンドで動作する場合、ＬＴＥ機器がＬＢＴ方式で資源競合をする際にＣＣＡ検出時間を作成する態様を提案し、アンライセンスバンドの搬送波において、複数の機器が同一の資源競合ウィンドウで同じアイドルチャネルであるＣＣＡ検出結果の期間を用いてチャネル資源を競合することが確保される。ダウンリンク伝送の場合、各プロバイダー内部の複数の基地局／セルでは同じＣＣＡ検出時間が用いられるため、複数の基地局／セルは、資源競合時に１つのアンライセンス機器に等しく、アンライセンスバンドでＬＴＥの同一周波数ネットワーク構築が保証される。アップリンク伝送の場合、ＬＴＥにおいてマルチユーザ機器の同時アップリンクスケジューリングのサポートやＭＵ‐ＭＩＭＯ技術の応用が保証され、更にシステム性能が向上する。
【０１３２】
本発明の実施例は、方法、システム、又はコンピュータプログラムプロダクトとして提供されうると当業者が理解できる。従って、本発明は、完全にハードウェアの実施例、完全にソフトウェアの実施例、又はソフトウェアとハードウェアを組み合わせた実施例の形態を取り得る。しかも、本発明は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０１３３】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フロー図の１つ又は複数のフロー及び／又はブロック図の１つ又は複数のブロックで指定される機能を実現するための装置を形成する。
【０１３４】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１３５】
これらのコンピュータプログラムコマンドは、コンピュータ又は他のプログラマブルデータ処理デバイスにロードされ、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供されてもよい。
【０１３６】
明らかに、当業者は、本発明の精神や範囲を逸脱せずに、本発明に対して様々な変更や変形をすることができる。このように、本発明のこれらの修正や変形が本発明の請求項及びその同等の技術的範囲に含まれるものであれば、本発明は、これらの変更や変形を含むことを意図とする。
【図１】
2017537531.tif 000003
【図２】
2017537531.tif 000004
【図３】
2017537531.tif 000005
【図４】
2017537531.tif 000006
【図５ａ】
2017537531.tif 000007
【図５ｂ】
2017537531.tif 000008
【図５ｃ】
2017537531.tif 000009
【図５ｄ】
2017537531.tif 000010
【図６】
2017537531.tif 000011
【図７】
2017537531.tif 000012
【図８】
2017537531.tif 000013
【図９】
2017537531.tif 000014
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
機器がデータ送信前チャネルモニタリングのＣＣＡ検出の開始時点とアイドルチャネルであるＣＣＡ検出結果の所要期間を確定することと、
上記機器が上記ＣＣＡ検出の開始時点とアイドルチャネルであるＣＣＡ検出結果の所要期間に基づいてアンライセンスバンド上でのチャネルのモニタリングを行うことと
を含むことを特徴とするチャネルモニタリング方法。
【請求項２】
上記機器がデータ送信前チャネルモニタリングのＣＣＡ検出の開始時点を確定することは、
上記機器がデータ伝送最大期間及び長さが前回のアイドルチャネルであるＣＣＡ検出結果の所要期間である前回ＣＣＡ検出時間ウィンドウに基づいてデータ送信前チャネルモニタリングのＣＣＡ検出の開始時点を確定することを含み、
又は、
上記機器が所定の無線フレーム構造におけるＣＣＡ検出の開始時点の定義に基づいてデータ送信前チャネルモニタリングのＣＣＡ検出の開始時点を確定することを含むことを特徴とする請求項１に記載のチャネルモニタリング方法。
【請求項３】
上記機器がアイドルチャネルであるＣＣＡ検出結果の所要期間を確定することは、
上記機器がアイドルチャネルであるＣＣＡ検出結果の所要期間を特定の主制御機器から取得することを含み、
又は、
上記機器が所定のルールに基づいてアイドルチャネルであるＣＣＡ検出結果の所要期間を確定することを含むことを特徴とする請求項１に記載のチャネルモニタリング方法。
【請求項４】
上記機器が所定のルールに基づいてアイドルチャネルであるＣＣＡ検出結果の所要期間を確定することは、
上記機器がＴ＿ＣＣＡ＝ｍｏｄ（Ｔ／Ｎ）又はＴ＿ＣＣＡ＝ｍｏｄ（Ｔ＊ＰＬＭＮ／Ｎ）（ここで、Ｔ＿ＣＣＡは、アイドルチャネルであるＣＣＡ検出結果の所要期間を示し、Ｔは、絶対時間を示し、Ｎは、アイドルチャネルであるＣＣＡ検出結果の所要期間の所定最大定量値を示し、ＰＬＭＮは、上記機器の所属するプロバイダーのＰＬＭＮ識別子を示す）を用いて、アイドルチャネルであるＣＣＡ検出結果の所要期間を確定することを含むことを特徴とする請求項３に記載のチャネルモニタリング方法。
【請求項５】
上記機器がデータ送信前チャネルモニタリングのＣＣＡ検出の開始時点とアイドルチャネルであるＣＣＡ検出結果の所要期間を確定する前に、更に、
上記機器が隣接機器の信号を測定することを含み、
上記機器がデータ送信前チャネルモニタリングのＣＣＡ検出の開始時点とアイドルチャネルであるＣＣＡ検出結果の所要期間を確定することは、具体的に、
隣接機器の信号を測定して得た測定結果が所定条件を満たした場合、上記機器がデータ送信前チャネルモニタリングのＣＣＡ検出の開始時点とアイドルチャネルであるＣＣＡ検出結果の所要期間を確定することであることを特徴とする請求項１〜４のいずれか一項に記載のチャネルモニタリング方法。
【請求項６】
上記機器が隣接機器の信号を測定することは、具体的に、
上記機器が隣接機器の信号の電力を測定することであり、
隣接機器の信号を測定して得た測定結果が所定条件を満たした場合、上記機器がデータ送信前チャネルモニタリングのＣＣＡ検出の開始時点とアイドルチャネルであるＣＣＡ検出結果の所要期間を確定することは、具体的に、
隣接機器の信号電力が所定の閾値より大きくなると、上記機器がデータ送信前チャネルモニタリングのＣＣＡ検出の開始時点とアイドルチャネルであるＣＣＡ検出結果の所要期間を確定することを特徴とする請求項５に記載のチャネルモニタリング方法。
【請求項７】
上記機器は、基地局又はユーザ機器ＵＥであることを特徴とする請求項１に記載のチャネルモニタリング方法。
【請求項８】
上記機器が基地局である場合、
更に、上記基地局がアイドルチャネルであるＣＣＡ検出結果の所要期間が保有された通知をＵＥに送信することを含むことを特徴とする請求項７に記載のチャネルモニタリング方法。
【請求項９】
上記基地局がＵＥに通知を送信することは、
上記基地局がアップリンクスケジューリンググラントのＰＤＣＣＨシグナリングを介してＵＥに通知を送信することを含むことを特徴とする請求項８に記載のチャネルモニタリング方法。
【請求項１０】
上記機器が基地局である場合、
更に、上記基地局が特定のパラメータが保有された通知をＵＥに送信することを含み、
ここで、上記特定のパラメータは、当該特定のパラメータ及び所定のルールを用いて、アイドルチャネルであるＣＣＡ検出結果の所要期間を確定するように、ＵＥに指示するためのものであることを特徴とする請求項７に記載のチャネルモニタリング方法。
【請求項１１】
上記通知には、アイドルチャネルであるＣＣＡ検出結果の所要期間の発効時間情報も保有されていることを特徴とする請求項８〜１０のいずれか一項に記載のチャネルモニタリング方法。
【請求項１２】
上記機器がＵＥである場合、当該ＵＥがアイドルチャネルであるＣＣＡ検出結果の所要期間を確定することは、
当該ＵＥが基地局から送信された通知を受信してアイドルチャネルであるＣＣＡ検出結果の所要期間を上記通知から取得することを含むことを特徴とする請求項７に記載のチャネルモニタリング方法。
【請求項１３】
当該ＵＥが基地局から送信された通知を受信することは、
当該ＵＥがアップリンクスケジューリンググラントのＰＤＣＣＨシグナリングを介して基地局から送信された通知を受信することを含むことを特徴とする請求項１２に記載のチャネルモニタリング方法。
【請求項１４】
上記機器がＵＥである場合、当該ＵＥがアイドルチャネルであるＣＣＡ検出結果の所要期間を確定することは、
当該ＵＥが基地局から送信された通知を受信して特定のパラメータを上記通知から取得することと、
当該ＵＥが当該特定のパラメータ及び所定のルールを用いてアイドルチャネルであるＣＣＡ検出結果の所要期間を確定することを含むことを特徴とする請求項７に記載のチャネルモニタリング方法。
【請求項１５】
更に、
当該ＵＥがアイドルチャネルであるＣＣＡ検出結果の所要期間の発効時間情報を上記通知から取得することを含み、
当該ＵＥが上記ＣＣＡ検出の開始時点とアイドルチャネルであるＣＣＡ検出結果の所要期間に基づいてアンライセンスバンド上でのチャネルのモニタリングを行うことは、
当該ＵＥが上記ＣＣＡ検出の開始時点とアイドルチャネルであるＣＣＡ検出結果の所要期間及び上記発効時間情報に基づいてアンライセンスバンド上でのチャネルのモニタリングを行うこととを含むことを特徴とする請求項１２〜１４のいずれか一項に記載のチャネルモニタリング方法。
【請求項１６】
データ送信前チャネルモニタリングのＣＣＡ検出の開始時点とアイドルチャネルであるＣＣＡ検出結果の所要期間を確定するための確定ユニットと、
上記ＣＣＡ検出の開始時点とアイドルチャネルであるＣＣＡ検出結果の所要期間に基づいて、アンライセンスバンド上でのチャネルのモニタリングを行うためのモニタリングユニットと
を含むことを特徴とするチャネルモニタリング機器。
【手続補正２】
【補正対象書類名】明細書
【補正対象項目名】００７２
【補正方法】変更
【補正の内容】
【００７２】
方式１：アイドルチャネルであるＣＣＡ検出結果の期間を特定の主制御機器から取得する。当該期間は、例えば８０マイクロ秒など、具体的な時間値であってもよく、定量化の時間値であってもよく（例えば、２０マイクロ秒を単位とし、定量化の時間値は４であり、８０マイクロ秒を示す。）、又は、ＬＢＴ拡張ＣＣＡ方式でアイドルチャネルとして検出するＣＣＡ検出期間（２０マイクロ秒）の個数のランダムな数Ｎである。ここで、上記特定の主制御機器は、例えば、主制御基地局又は他の主制御ノードである。
【国際調査報告】
2017537531.tif 000015
2017537531.tif 000016
2017537531.tif 000017
2017537531.tif 000018